【手続補正書】
【提出日】平成17年7月28日(2005.7.28)
【手続補正１】
【補正対象書類名】明細書
【補正対象項目名】発明の名称
【補正方法】変更
【補正の内容】
【発明の名称】ＣＤＭＡ無線送信装置およびＣＤＭＡ無線受信装置
【手続補正２】
【補正対象書類名】明細書
【補正対象項目名】特許請求の範囲
【補正方法】変更
【補正の内容】
【特許請求の範囲】
【請求項１】
ベーシックコードをシフトさせてミッドアンブルパターンを作成するＣＤＭＡ無線送信装置であって、
前記ミッドアンブルパターンとデータとを多重して送信信号を作成する多重手段と、
前記送信信号を送信する送信手段と、を具備し、
前記多重手段は、互いに異なる複数のミッドアンブルパターンを周期的に切り替えて多重する、
ＣＤＭＡ無線送信装置。
【請求項２】
前記多重手段は、互いに異なる複数のミッドアンブルパターンをフレーム毎に切り替えて多重する、
請求項１記載のＣＤＭＡ無線送信装置。
【請求項３】
前記多重手段は、互いに異なる２つのミッドアンブルパターンを交互に多重する、
請求項１記載のＣＤＭＡ無線送信装置。
【請求項４】
ベーシックコードをシフトさせて作成したミッドアンブルパターンを含む通信フレームを用いるＣＤＭＡ無線通信システムにおけるＣＤＭＡ無線受信装置であって、
ミッドアンブルパターンとデータとが多重された信号を受信する受信手段と、
前記信号と既知のミッドアンブルパターンとの相関値を算出する相関手段と、を具備し、
前記相関手段は、互いに異なる複数の既知のミッドアンブルパターンを周期的に切り替えて用いる、
ＣＤＭＡ無線受信装置。
【請求項５】
前記相関手段は、互いに異なる複数の既知のミッドアンブルパターンをフレーム毎に切り替えて用いる、
請求項４記載のＣＤＭＡ無線受信装置。
【請求項６】
前記相関手段は、互いに異なる２つの既知のミッドアンブルパターンを交互に用いる、
請求項４記載のＣＤＭＡ無線受信装置。
【請求項７】
ベーシックコードをシフトさせてミッドアンブルパターンを作成するＣＤＭＡ無線送信方法であって、
前記ミッドアンブルパターンとデータとを多重して送信信号を作成する多重工程と、
前記送信信号を送信する送信工程と、を具備し、
前記多重工程において、互いに異なる複数のミッドアンブルパターンを周期的に切り替えて多重する、
ＣＤＭＡ無線送信方法。
【請求項８】
前記多重工程において、互いに異なる複数のミッドアンブルパターンをフレーム毎に切り替えて多重する、
請求項７記載のＣＤＭＡ無線送信方法。
【請求項９】
前記多重工程において、互いに異なる２つのミッドアンブルパターンを交互に多重する、
請求項７記載のＣＤＭＡ無線送信方法。
【請求項１０】
ベーシックコードをシフトさせて作成したミッドアンブルパターンを含む通信フレームを用いるＣＤＭＡ無線通信システムにおけるＣＤＭＡ無線受信方法であって、
ミッドアンブルパターンとデータとが多重された信号を受信する受信工程と、
前記信号と既知のミッドアンブルパターンとの相関値を算出する相関工程と、を具備し、
前記相関工程において、互いに異なる複数の既知のミッドアンブルパターンを周期的に切り替えて用いる、
ＣＤＭＡ無線受信方法。
【請求項１１】
前記相関工程において、互いに異なる複数の既知のミッドアンブルパターンをフレーム毎に切り替えて用いる、
請求項１０記載のＣＤＭＡ無線受信方法。
【請求項１２】
前記相関工程において、互いに異なる２つの既知のミッドアンブルパターンを交互に用いる、
請求項１０記載のＣＤＭＡ無線受信方法。
【手続補正３】
【補正対象書類名】明細書
【補正対象項目名】００２８
【補正方法】変更
【補正の内容】
【００２８】
【課題を解決するための手段】
本発明のＣＤＭＡ無線送信装置は、ベーシックコードをシフトさせてミッドアンブルパターンを作成するＣＤＭＡ無線送信装置であって、前記ミッドアンブルパターンとデータとを多重して送信信号を作成する多重手段と、前記送信信号を送信する送信手段と、を具備し、前記多重手段は、互いに異なる複数のミッドアンブルパターンを周期的に切り替えて多重する構成を採る。
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】変更
【補正の内容】
【００３０】
本発明のＣＤＭＡ無線受信装置は、ベーシックコードをシフトさせて作成したミッドアンブルパターンを含む通信フレームを用いるＣＤＭＡ無線通信システムにおけるＣＤＭＡ無線受信装置であって、ミッドアンブルパターンとデータとが多重された信号を受信する受信手段と、前記信号と既知のミッドアンブルパターンとの相関値を算出する相関手段と、を具備し、前記相関手段は、互いに異なる複数の既知のミッドアンブルパターンを周期的に切り替えて用いる構成を採る。
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】変更
【補正の内容】
【００３２】
これらの構成によれば、各チャネルの伝搬遅延を正確に検出して良好な無線通信を行うことができる。
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】変更
【補正の内容】
【００４９】
【発明の実施の形態】
以下、本発明の実施の形態について、図面を参照して詳細に説明する。
【手続補正２５】
【補正対象書類名】明細書
【補正対象項目名】０１３６
【補正方法】変更
【補正の内容】
【０１３６】
【発明の効果】
以上説明したように、本発明によれば、収容チャネル数に影響を与えることなく、各チャネルについての伝搬遅延を正確に検出することができる。